(57)【要約】【課題】携帯に便利な１台の携帯電話や１台のＩＣカードにより、一人の利用者が複数のロッカーボックスを利用できるようにし、使い勝手のよい貸しロッカーシステムを提供する。【解決手段】ロッカー扉２ａを開けて荷物を収納し、施錠スイッチ２３を操作する。集中制御装置１と携帯電話機Ｔとで通信してＩＤコードを授受する。集中制御装置１と非接触ＩＣカードＣとで通信してＩＤコードを授受する。ＩＤコードとロッカーボックス２のロッカー番号を対応付け、一つのＩＤコードに複数のロッカー番号を対応つけて記憶できるようにする。一つのＩＤコードで対応するロッカーボックス２を解錠する。【選択図】図１
2005314944.tif 000002
【特許請求の範囲】
【請求項１】
複数のロッカーボックスと該ロッカーボックスの施解錠を制御する制御手段を備え、ＩＤコードが設定された携帯手段からの該ＩＤコードを前記制御手段で読み取って、該ＩＤコードに基づいてロッカーボックスの使用を可能にした貸しロッカーシステムであって、
前記制御手段は、前記携帯手段から読み取ったＩＤコードと複数のロッカーボックスの各ボックスＩＤとを対応付けて記憶可能な記憶手段を備え、ロッカーボックスの解錠制御時に、読み取ったＩＤコードと前記記憶手段の記憶内容に基づいて、該ＩＤコードに対応するボックスＩＤのロッカーボックスを解錠するようにしたことを特徴とする貸しロッカーシステム。
【請求項２】
前記制御手段は、前記解錠制御時に、読み取ったＩＤコードに対応する全ボックスＩＤのロッカーボックスの特定情報を提示し、該特定情報が示すロッカーボックスのうち指定されたロッカーボックスを解錠することを特徴とする請求項１に記載の貸しロッカーシステム。
【請求項３】
前記特定情報がロッカーボックスのボックス番号であり、該ボックス番号を前記特定情報として表示部に表示することを特徴とする請求項２に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
従来、ロッカーシステムとしてプリペードカードを用いて利用できるものが例えば特開平７−３０５５４号公報、あるいは特開２００１−１５５２４９号公報に開示されている。これら従来のロッカーシステムは、ロッカー使用時にプリペードカードをカードリーダに挿入し、そのプリペードカードからロッカー利用料金を引き落としでロッカーを利用できるようにしたものである。
【０００３】
また、特開２００１−３２５６６０号公報、特開２００３−９０１５６号公報には携帯電話を用いてロッカー装置を利用できるようにしたものが開示されている。特開２００１−３２５６６０号公報のものは、携帯電話機でロッカー装置の空き状態などの情報を確認でき、利用料金を携帯電話機の電話番号に対して課金し、さらにその電話番号を照合することで解錠できるようにしている。また、特開２００３−９０１５６号公報のものは、携帯電話（携帯端末）についての決済機関等により決済を行うことで、管理者等が人手により利用料金の回収を行わなくてもよいようにしている。このようにプリペードカードや携帯電話機を用いてロッカーボックスの解錠等を行えるようにすると、通常は料金精算が簡単になる。
【特許文献１】特開平７−３０５５４号公報
【特許文献２】特開２００１−３２５６６０号公報
【特許文献３】特開２００３−９０１５６号公報
【発明の開示】
【発明が解決しようとする課題】
【０００４】
しかし、特開平７−３０５５４号公報、特開２００１−１５５２４９号公報の貸しロッカーシステム、あるいは通常の貸しロッカーシステムは、ロッカーボックスの施解錠操作を行うために鍵（キー）を用いている。このため、一人の利用者が同時に複数のロッカーボックスを使用すると、複数の鍵を所持しなければならず、きわめて使い勝手が悪いという問題がある。
【０００５】
また、特開２００１−３２５６６０号公報あるいは特開２００３−９０１５６号公報のものは、鍵を所持する必要がないが、一人の利用者が複数のロッカーボックスを使用することを想定されておらず、改良の余地がある。
【０００６】
本発明は、一人の利用者が複数のロッカーボックスを使用しても、使い勝手がよい貸しロッカーシステムを提供することを課題とする。
【課題を解決するための手段】
【０００７】
請求項１の貸しロッカーシステムは、複数のロッカーボックスと該ロッカーボックスの施解錠を制御する制御手段を備え、ＩＤコードが設定された携帯手段からの該ＩＤコードを前記制御手段で読み取って、該ＩＤコードに基づいてロッカーボックスの使用を可能にした貸しロッカーシステムであって、前記制御手段は、前記携帯手段から読み取ったＩＤコードと複数のロッカーボックスの各ボックスＩＤとを対応付けて記憶可能な記憶手段を備え、ロッカーボックスの解錠制御時に、読み取ったＩＤコードと前記記憶手段の記憶内容に基づいて、該ＩＤコードに対応するボックスＩＤのロッカーボックスを解錠するようにしたことを特徴とする。
【０００８】
請求項２の貸しロッカーシステムは、請求項１に記載の貸しロッカーシステムであって、前記制御手段は、前記解錠制御時に、読み取ったＩＤコードに対応する全ボックスＩＤのロッカーボックスの特定情報を提示し、該特定情報が示すロッカーボックスのうち指定されたロッカーボックスを解錠することを特徴とする。
【０００９】
請求項３の貸しロッカーシステムは、請求項２に記載の貸しロッカーシステムであって、前記特定情報がロッカーボックスのボックス番号であり、該ボックス番号を前記特定情報として表示部に表示することを特徴とする。
【発明の効果】
【００１０】
請求項１の貸しロッカーシステムによれば、プリペイドカードや携帯電話機等の携帯手段でロッカーを利用し、該携帯手段のＩＤコードを制御手段に読み取らせ、該制御手段がＩＤコードに対応つけて複数のロッカーボックスのボックスＩＤを記憶手段に記憶し、制御手段は解錠制御時に、ＩＤコードに対応するボックスＩＤのロッカーボックスを解錠するので、利用者は一つの携帯手段により複数のロッカーボックスを利用することができ、使い勝手がよくなる。
【００１１】
請求項２の貸しロッカーシステムによれば、請求項１と同様な効果が得られるとともに、利用者は、解錠制御時に提示された特定情報により複数のロッカーボックスのうちの荷物を取り出したロッカーボックスを選択して指定することができるので、さらに使い勝手がよくなる。
【００１２】
請求項３の貸しロッカーシステムによれば、請求項２と同様な効果が得られるとともに、ボックス番号の目視により指定したいロッカーボックスを確認できるので、さらに使い勝手がよくなる。
【発明を実施するための最良の形態】
【００１３】
次に、本発明の貸しロッカーシステムの実施形態を図面を参照して説明する。図１は本発明の実施形態の貸しロッカーシステムの外観正面図である。このシステムは集中制御装置１とその両側にそれぞれ複数のロッカーボックス２を配置したものである。集中制御装置１の内部には、レシートや領収書を発行するためのプリンタ１１、タッチパネル付きＬＣＤ表示器１２、非接触ＩＣカードＣからの電波を受信するカードリーダ１３、携帯電話機Ｔからの赤外線を受信する赤外線モジュール１４、紙幣の鑑別を行う紙幣鑑別機１５、硬貨の識別を行う検銭機１６が配設されている。
【００１４】
集中制御装置１のパネル面には、プリンタ１１からレシートや領収書を排出するためのレシート出口１１ａ、ＬＣＤ表示器１２の表示窓となる操作表示部１２ａ、カードリーダ１３で電波の送受信を行うアンテナ部１３ａ、赤外線モジュール１４で赤外線を受信する赤外線受信部１４ａ、紙幣鑑別機１５に紙幣を投入するための紙幣投入口１５ａ、検銭機１６に硬貨を投入するための硬貨投入口１６ａ、検銭機１６から硬貨を返却するための硬貨返却口１６ｂ、及び硬貨返却レバー１７が配設されている。
【００１５】
また、各ロッカーボックス２は、ロッカー扉２ａの内部に集中制御装置１からの制御信号に基づいてロッカー扉２ａを施解錠する錠装置２１、ロッカー扉２ａの開閉状態を検出する扉開閉スイッチ２２、錠装置２１側の框部に配設された施錠スイッチ２３、施錠スイッチ２３の上部に配設された施錠確認用ＬＥＤ２４、ロッカー２ａの錠装置２１の近傍に配設された状態表示用ＬＥＤ２５をそれぞれ備えている。
【００１６】
図２は集中制御装置１の要部ブロック図である。集中制御装置１はマイクロコンピュータで構成された制御ユニット１０と電源１０Ａを備えており、制御ユニット１０にはプリンタ１１、ＬＣＤ表示器１２、カードリーダ１３、赤外線モジュール１４、紙幣鑑別機１５、検銭機１６、各ロッカーボックス２の各錠装置２１が接続されている。また、錠装置２１には図示しない基板を介して、扉開閉スイッチ２２、施錠スイッチ２３、施錠確認用ＬＥＤ２４、状態表示用ＬＥＤ２５がそれぞれ接続されている。制御ユニット１０は、プリンタ１１への印字データの出力、ＬＣＤ表示器１２への表示データの出力と操作状態の検出を行う。また、制御ユニット１０は、カードリーダ１３、赤外線モジュール１４、紙幣鑑別機１５及び検銭機１６からのデータの入力や紙幣や硬貨の鑑別状態を検出する。さらに、制御ユニット１０は、錠装置２１を介して、扉開閉スイッチ２２、施錠スイッチ２３の操作状態を検出するとともに、施錠確認用ＬＥＤ２４、状態表示用ＬＥＤ２５の駆動制御を行う。そして、制御ユニット１０は後述の制御プログラムに基づいてロッカーシステムの制御を行う。
【００１７】
図３は実施形態の携帯電話機Ｔ及び非接触ＩＣカードＣを用いる場合の通信システムを概念的に示す要部ブロック図である。携帯電話機Ｔには、所定のダウンロード用ＷＥＢサーバ２０から予め通信用のアプリケーション（以後、「ロッカー利用アプリ」ともいう。）をダウンロードしておく。このアプリケーションのダウンロード時に、この携帯電話機Ｔに対して固有のＩＤコードが設定される。そして、携帯電話機Ｔはこのアプリケーションにより集中制御装置１との間で赤外線通信を行う。また、非接触ＩＣカードＣは制御ユニット１０の前記カードリーダ１３からの特定の電波を受信して起動し、予め記憶されているＩＤコードを送信する。
【００１８】
この実施形態では、操作表示部１２ａを操作して操作形態の異なる第１〜第３モードを選択することができるることができる。第１モードでは現金投入による施錠及び暗証番号の発行を行い、暗証番号による解錠を行う。第２モードでは携帯電話機ＴとそのＩＤコードにより施錠及び解錠を行う。第３モードでは非接触ＩＣカードＣとそのＩＤコードにより施錠及び解錠を行う。
【００１９】
第２モードで利用するときには、利用に先だって、集中制御装置１の操作表示部１２ａで「チャージ」のモードを選択して電子的な現金（電子現金）をチャージ（蓄積）しておく。すなわち、硬貨投入口１６ａから硬貨（例えば１００円硬貨）を投入するか、紙幣投入口１５ａから紙幣を投入し、携帯電話機Ｔで集中制御装置１と赤外線による通信を行い、所定の操作を行って、この携帯電話機Ｔの記憶領域に電子現金としてチャージする。この際、集中制御装置１は投入金額を回収して、携帯電話機Ｔにその投入金額相当の電子現金を示すチャージデータを書き込む。なお、このチャージデータは携帯電話機Ｔの単独の操作で変更することはできないように設定されている。そして、この第２モードでは、携帯電話機Ｔにチャージした電子現金で利用料金を支払ったり、現金投入により利用することができる。また、投入現金の釣り銭をチャージすることもできる。
【００２０】
以下、各モードにおける操作方法と装置の動作を説明する。なお、ロッカーボックス２が空き状態（非使用状態）のときは、錠装置２１は解錠状態で状態表示用ＬＥＤ２５が緑色に点灯されている。また、操作表示部１２ａの初期画面には「預け入れ」、「取り出し」、「チャージ」等の表示が行われており、利用者は、操作表示部１２ａのタッチパネルを操作して、所望の処理を選択する。「預け入れ」を選択し、空き状態のロッカーボックス２に荷物を収納してロッカー扉２ａを閉めると、施錠確認用ＬＥＤ２４が橙色で点滅するので、施錠スイッチ２３を押す。これにより、錠装置２１は仮施錠される。このとき、他に利用者が操作していなければ、施錠確認用ＬＥＤ２４が消灯するとともに状態表示用ＬＥＤ２５を赤色で点滅する。そして、操作表示部１２ａには、「暗証番号」、「携帯電話」、「ＩＣカード」の表示によりモードを選択するように案内が表示されるので、操作表示部１２ａのタッチパネルを操作してモードを選択する。
【００２１】
第１モード（暗証番号）：利用者が「預け入れ」を選択して荷物の投入及び施錠スイッチ２３を押し、「暗証番号」を選択する。これにより、操作表示部１２ａに利用料金（金額）と利用料金を投入するように案内する表示が行われる。硬貨投入口１６ａから硬貨（例えば１００円硬貨）を投入するか、紙幣投入口１５ａから紙幣を投入すると錠装置２１が施錠され、状態表示用ＬＥＤ２５が赤色の点灯に変わり、レシートと領収書が発行される。このレシートには、解錠用の例えば６桁の暗証番号が印刷されている。
【００２２】
解錠操作をするときは、操作表示部１２ａの初期画面で「取り出し」を選択するとともに、次の画面で「暗証番号」を選択する。そして、操作表示部１２ａから暗証番号を入力すると、所定の利用時間内であれば錠装置２１が解錠されて、状態表示用ＬＥＤ２５が赤の点滅となる。時間超過による追加料金が発生している場合には、暗証番号を入力した後、操作表示部１２ａに追加の料金投入を案内する表示が行われる。そして、追加の料金を硬貨投入口１６ａあるいは紙幣投入口１５ａから投入すると、プリンタ１１によりレシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２３】
第２モード（携帯電話）：この第２モードでは、第１モードと同様に利用者が「預け入れ」を選択して荷物の投入及び施錠スイッチ２３を押し、「携帯電話」を選択する。これにより、操作表示部１２ａに、携帯電話機Ｔにおいてアプリケーション（ロッカー利用アプリ）を起動して「ロッカーと通信」を選択するように促す表示が行われる。そこで、携帯電話機Ｔを集中制御装置１の赤外線受信部１４ａにかざして通信を行うと、該携帯電話機ＴのＩＤコード、チャージデータ、電話番号等の各種情報が集中制御装置１側で読み取られる。そして、チャージデータの金額が利用料金以上であれば、そのチャージデータから利用料金を引き落としてチャージデータを書き換え、錠装置２１が本施錠される。状態表示ＬＥＤ２５は前記同様に赤色の点灯に変わり、使用状態を表示する。また、施錠されるとレシートが発行される。
【００２４】
一方、チャージデータの金額が利用料金未満（あるいは０円）であれば、不足金額を表示するとともに、料金を投入するように案内する表示が行われる。そして、硬貨投入口１６ａから硬貨を投入するか、紙幣投入口１５ａから紙幣を投入すると錠装置２１が施錠され、状態表示用ＬＥＤ２５が赤色の点灯に変わり、レシートが発行される。このとき、お釣りの金額（釣り金額）があれば、釣り銭を現金で払い出すか、携帯電話機Ｔに対してチャージするかの選択画面が表示され、現金を選択すれば硬貨返却口１６ｂから釣り銭が払い出され、チャージを選択すれば携帯電話機Ｔに釣り銭相当の金額がチャージされる。
【００２５】
解錠操作をするときは、操作表示部１２ａの初期画面で「取り出し」を選択するとともに、次の画面で「携帯電話」を選択する。そして、携帯電話機Ｔを赤外線受信部１４ａにかざして通信すると、前記同様集中制御装置１でＩＤコード、チャージデータ、電話番号等の各種情報が読み取られ、所定の利用時間内であれば錠装置２１が解錠されて状態表示用ＬＥＤ２５が赤の点滅となる。追加料金が発生している場合には、前記ＩＤコードが読み取られた後、操作表示部１２ａに追加の料金支払いを案内する表示が行われる。そして、追加の料金を投入するとレシートと領収書が発行されるとともに、錠装置２１が解錠され、状態表示用ＬＥＤ２５が赤の点滅となる。後は前記同様に荷物を取り出してロッカー扉２ａを閉めると状態表示ＬＥＤ２５が緑色の点灯に変わる。なお追加の料金を投入してお釣りの金額がある場合も、前記同様に、釣り銭の払い出しまたはチャージの選択を行うことができる。
【００２６】
第３モード：利用者が「預け入れ」を選択して荷物の投入及び施錠スイッチ２３を押し、「ＩＣカード」を選択する。これにより、利用者が非接触ＩＣカードＣを集中制御装置１のアンテナ部１３ａにかざすと、その非接触ＩＣカードＣのＩＤコードが集中制御装置１側で読み取られ、操作表示部１２ａに利用料金と利用料金を投入するように案内する表示が行われる。料金を硬貨投入口１６ａあるいは紙幣投入口１５ａから投入すると錠装置２１が施錠され、状態表示用ＬＥＤ２５が赤色の点灯に変わり、レシートと領収書が発行される。
【００２７】
解錠操作をするときは、操作表示部１２ａで「取り出し」及び「ＩＣカード」を選択する。そして、非接触ＩＣカードＣをアンテナ部１３ａにかざすと、前記同様ＩＤコードが読み取られ、所定の利用時間内であれば錠装置２１が解錠されて、状態表示用ＬＥＤ２５が赤の点滅となる。そして、ロッカー扉２ａを開いて荷物を取り出し、ロッカー扉２ａを閉めると、状態表示ＬＥＤ２５が緑色の点灯に変わり、空き状態を表示する。なお、時間超過による追加料金が発生している場合には、前記ＩＤコードが読み取られた後、操作表示部１２ａに追加の料金投入を案内する表示が行われ。そして、追加の料金を硬貨投入口１６ａあるいは紙幣投入口１５ａから投入すると、レシート及び領収書が発行されるとともに、錠装置２１が解錠され、状態表示用ＬＥＤ２５が赤の点滅となる。後は上記同様に荷物を取り出してロッカー扉２ａを閉めると状態表示ＬＥＤ２５が緑色の点灯に変わる。
【００２８】
なお、各モードにおいて、施錠／解錠の対象とするロッカーボックス２は、暗証番号（第１モード）、携帯電話機ＴのＩＤコードに対応する解錠番号（第２モード）、非接触ＩＣカードＣのＩＤコード（第３モード）と、それぞれ対応付けられており、解錠操作のとき、集中制御装置１において、これらの暗証番号、解錠番号、ＩＤコードを確認し、認証されれたその暗証番号、解錠番号あるいはＩＤコードに対応する対象ロッカーボックス２を特定し、解錠を行っている。また、携帯電話機Ｔにおいては集中制御装置１との間で赤外線通信を行うとき、ＩＤコードと解錠番号を暗号化して授受している。なお、この携帯電話機ＴにおけるＩＤコードはロッカー利用アプリをサーバからダウンロードしたときに該サーバから設定登録されたものである。
【００２９】
図４は集中制御装置１のコンピュータ１０における制御プログラムの預け入れ処理の要部フローチャート、図５は同制御プログラムの取り出し処理の要部フローチャートであり、同フローチャートを参照しながら動作を説明する。図４の処理は図示しないメイン処理において「預け入れ」を選択したとき起動されるサブルーチンであり、図５の処理はメイン処理において「取り出し」を選択したとき起動されるサブルーチンである。なお、これらのフローチャートは主に第３モード（非接触ＩＣカード）の処理を示している。
【００３０】
図４の預け入れ処理では、ステップＳ１及びステップＳ２で施錠スイッチ２３がＯＮされるのを監視し、ＯＮされずに所定時間経過するとステップＳ２からメインルーチンに復帰する。施錠スイッチ２３がＯＮされると、ステップＳ３でＯＮとなった施錠スイッチ２３に対応するロッカーボックス２の錠装置２１を仮施錠し、ステップＳ４で、操作表示部１２ａにおいて第１〜第３モードのいずれのモードが選択されるかを判定する。第１モードまたは第２モードが選択されれば、ステップＳ５で暗証番号の処理（第１モードの処理）または携帯電話の処理（第２モード）を行い、第３モードが選択されればステップＳ６で利用料金を表示するとともに、ＩＤコードを送信するように依頼する表示を行い、ステップＳ７に進む。
【００３１】
なお、ステップＳ５の暗証番号の処理では、利用料金の表示、利用料金の投入有無の判定、投入があれば錠装置２１の施錠、状態表示用ＬＥＤ２５の点灯、暗証番号を印刷したレシートと領収書の発行等の処理を行う。携帯電話の処理では、携帯電話機ＴからＩＤコード、チャージデータ、電話番号等の各種情報を読み取り、ＩＤコードの確認とチャージデータの確認を行う。そして、チャージ金額が利用料金以上であればチャージ金額でロッカーボックスを利用する処理を行い、チャージ金額が利用料金以上でなければ現金でロッカーボックスを利用する処理を行う。
【００３２】
ステップＳ７ではタイマーをスタートさせ、ステップＳ８及びステップＳ９でＩＤコードを受信するかを監視する。そして、所定時間内にＩＤコードが受信されなければ、ステップＳ１０で錠装置２１を解錠してメインルーチンに復帰（キャンセル）し、所定時間内にＩＤコードが受信されればそれを読み取ってステップＳ１１に進む。ステップＳ１１では、その読み取ったＩＤコードが既に預かり中の荷物のあるＩＤコードであるかを判定する。
【００３３】
ここで、集中制御装置１は内部のメモリに、使用中のロッカーボックスのボックス番号を、そのロッカーボックスを使用するときに読み取った非接触ＩＣカードＣのＩＤコードと対応つけて記憶している。また、このＩＤコードに対応する使用中のロッカーボックスが複数あれば、その複数のロッカーボックスの各ボックス番号をそのＩＤコードに対応つけて記憶しておく。また、ロッカーボックスが解錠されたら（荷物が取り出されたら）そのロッカーボックスのボックス番号をメモリから消去し、ＩＤコードに対応するロッカーボックスの全てが解錠されたら、そのボックス番号とＩＤコードをメモリから消去する。したがって、ステップＳ１１では、読み取ったＩＤコードがメモリに記憶されているかを判定し、読み取ったＩＤコードがメモリに記憶されていなければステップＳ１２に進み、記憶されていればステップＳ１３に進むことになる。
【００３４】
ステップＳ１２では、読み取ったＩＤコードと、そのＩＤコードに対応するロッカーボックス（現在、施錠スイッチ２３がＯＮとなったロッカーボックス）のボックス番号（ＮＯ．）とを、対応付けてメモリ内に登録（記憶）し、ステップＳ１４に進む。一方、ステップＳ１３では、読み取ったＩＤコードを複数荷物預かりのＩＤコードであるとしてメモリ内に登録するとともに、このＩＤコードに対応するロッカーボックスのボックス番号を対応つけてメモリ内に登録し、ステップＳ１４に進む。
【００３５】
ステップＳ１４では、利用料金を投入するように依頼する表示を行い、ステップＳ１５でタイマーをスタートさせる。そして、ステップＳ１６及びステップＳ１７で利用料金の投入が完了するかを監視し、投入完了せずに所定時間経過するとステップＳ１７からメインルーチンに復帰する。所定時間内に利用用金の投入が完了すると、ステップＳ１８で、該ロッカーボックスのロッカー番号を荷物預かりのあるロッカーボックスであるものとしてメモリに登録し、対応する錠装置２１を本施錠してメインルーチンに復帰する。
【００３６】
以上の処理により、利用者は１枚の非接触ＩＣカードＣにより、複数のロッカーボックスに荷物を預け入れることができ、その預けいれた複数のロッカーボックスのボックス番号が、その非接触ＩＣカードＣのＩＤコードにそれぞれ対応付けられて集中制御装置１に登録（記憶）される。
【００３７】
図５の取り出し処理では、ステップＳ２１で、操作表示部１２ａにおいて第１〜第３モードのいずれのモードが選択されるかを判定する。第１モードまたは第２モードが選択されれば、ステップＳ２２で暗証番号の処理（第１モードの処理）または携帯電話の処理（第２モード）を行い、第３モードが選択されればステップＳ２３に進む。
【００３８】
なお、ステップＳ２２の暗証番号の処理では、ロッカー番号と暗証番号の入力画面の表示、ロッカー番号と暗証番号の入力受付及び確認等を行い、入力されたロッカー番号に対応する暗証番号であると確認されたら、錠装置２１の解錠、状態表示用ＬＥＤ２５の点灯等の処理を行う。また、携帯電話の処理では、携帯電話機Ｔと赤外線通信を行い、携帯電話機ＴのＩＤコード、チャージデータ、電話番号等の各種情報を読み取り、ＩＤコードが認証されたらＩＤコードに対応するロッカーの錠装置２１の解錠、状態表示用ＬＥＤ２５の点灯等の処理を行う。
【００３９】
ステップＳ２３ではＩＤコードを送信するように依頼する表示を行い、ステップＳ２４でタイマーをスタートさせ、ステップＳ２５及びステップＳ２６でＩＤコードを受信するかを監視する。そして、所定時間内にＩＤコードが受信されなければそのままメインルーチンに復帰し、所定時間内にＩＤコードが受信されればそれを読み取ってステップＳ２７に進む。ステップＳ２７では、その読み取ったＩＤコードが預かり中の荷物に対応するＩＤコードであるかを判定し、預かり中の荷物に対応するＩＤコードでなければ、ステップＳ２８で操作表示部１２ａに“預かり荷物無し”と表示して、元のルーチンに復帰する。一方、預かり中の荷物に対応するＩＤコードであれば、ステップＳ２９で、その読み取ったＩＤコードに対応するボックス番号をメモリから読み出して操作表示部１２ａにずべて表示し、ステップＳ３０で解錠するボックス番号の選択を依頼する表示を行ってステップＳ３１に進む。
【００４０】
ステップＳ３１ではタイマーをスタートさせ、ステップＳ３２及びステップＳ３３で、解錠するボックス番号の選択入力があるかを監視し、選択入力がないまま所定時間経過するとステップＳ３３からメインルーチンに復帰する。所定時間内に選択入力があると、ステップＳ３４で解錠するロッカーボックスについて超過料金が発生しているかを判定し、発生していなければステップＳ３９で、選択されたロッカーボックスの錠装置２１を解錠し、ステップＳ４０で荷物の取り出し確認を行ってメインルーチンに復帰する。超過料金が発生していれば、ステップＳ３５で超過料金を表示するとともに支払いを要求する表示を行い、ステップＳ３６でタイマーをスタートさせる。そして、ステップＳ３７及びステップＳ３８で料金の支払いを監視し、料金が支払われずに所定時間経過するとステップＳ３８からメインルーチンに復帰する。所定時間内に料金が支払われると、ステップＳ３９で、選択されたロッカーボックスの錠装置２１を解錠し、ステップＳ４０で荷物の取り出し確認を行ってメインルーチンに復帰する。
【００４１】
以上の説明では、主に非接触ＩＣカードＣについて説明したが、携帯電話機ＴのＩＤデータについても同様に複数のロッカーボックスを対応させて記憶しておき、この携帯電話機Ｔによって複数のロッカーボックスを利用できることは、非接触ＩＣカードＣの場合と同様である。
【００４２】
以上のように、利用者は複数のロッカーボックスを使用しても１枚の非接触ＩＣカードＣ、あるいは１台の携帯電話機Ｔを所持するだけでよく、また、この１枚の非接触ＩＣカードＣあるいは１台の携帯電話機Ｔで各ロッカーボックスを解錠することができ、使い勝手のよい貸しロッカーシステムとなる。
【００４３】
なお、実施形態では、解錠制御時にＩＤコードに対応する複数のロッカーボックスから所望のロッカーボックスを選択できるようにしているが、ＩＤコードに対応する全てのロッカーボックスを一度に解錠するようにしてもよい。
【図面の簡単な説明】
【００４４】
【図１】本発明の実施の形態の貸しロッカーシステムの外観正面図である。
【図２】実施形態における集中制御装置の要部ブロック図である。
【図３】実施形態の携帯電話機及び非接触ＩＣカードを用いる場合の通信システムを概念的に示す要部ブロック図である。
【図４】実施形態における預け入れ処理のフローチャートである。
【図５】実施形態における取り出し処理のフローチャートである。
【符号の説明】
【００４５】
１      集中制御装置
２      ロッカーボックス
１０    制御ユニット
１２ａ  操作表示部
１３ａ  アンテナ部
１４ａ  赤外線受信部
２１    錠装置
Ｃ      非接触ＩＣカード
Ｔ      携帯電話機
【図１】
2005314944.tif 000003
【図２】
2005314944.tif 000004
【図３】
2005314944.tif 000005
【図４】
2005314944.tif 000006
【図５】
2005314944.tif 000007